(57)【要約】【課題】パイロット信号を用いることなく主増幅器の非線形歪み成分を自動的にキャンセルする。【解決手段】入力信号を増幅する主増幅器の出力に含まれる非線形歪み成分を副増幅器により増幅し、上記主増幅器の出力と上記副増幅器の出力とを方向性結合器により合成するフィードフォワード歪み補償増幅方法において、上記方向性結合器の出力の一部を上記副増幅器への入力信号または上記副増幅器からの出力信号により同期検波し、該同期検波の出力に応じて上記副増幅器の利得ならびに位相を制御する。【選択図】        図１
2004165783.tif 000002
【特許請求の範囲】
【請求項１】
入力信号を増幅する主増幅器の出力信号に含まれる非線形歪み成分を副増幅器により増幅し、前記主増幅器の出力信号と前記副増幅器の出力信号とを方向性結合器により合成するフィードフォワード歪み補償増幅方法において、
前記方向性結合器の出力信号の一部を前記副増幅器への入力信号または前記副増幅器からの出力信号により同期検波し、該同期検波の出力に応じて前記副増幅器の利得ならびに位相を制御する
ものであるフィードフォワード歪み補償増幅方法。
【請求項２】
入力信号を増幅する主増幅器の出力信号に含まれる非線形歪み成分を副増幅器により増幅し、前記主増幅器の出力信号と前記副増幅器の出力信号とを方向性結合器により合成するフィードフォワード歪み補償増幅方法において、
前記副増幅器への入力信号を前記入力信号または前記入力信号の遅延信号により同期検波し、該同期検波の出力に応じて前記主増幅器の利得ならびに位相を制御し、
前記方向性結合器の出力信号の一部を前記副増幅器への入力信号または前記副増幅器からの出力信号により同期検波し、該同期検波の出力に応じて前記副増幅器の利得ならびに位相を制御する
ものであるフィードフォワード歪み補償増幅方法。
【請求項３】
入力信号を増幅する主増幅器の出力信号に含まれる非線形歪み成分を副増幅器により増幅し、前記主増幅器の出力信号と前記副増幅器の出力信号とを方向性結合器により合成するフィードフォワード歪み補償増幅方法において、
前記方向性結合器の出力信号の一部と遅延回路を経て第３の増幅器により増幅された前記入力信号とを合成し、該合成した信号を前記副増幅器への入力信号または前記副増幅器からの出力信号により同期検波し、該同期検波の出力に応じて前記副増幅器の利得ならびに位相を制御する
ものであるフィードフォワード歪み補償増幅方法。
【請求項４】
入力信号を増幅する主増幅器の出力信号に含まれる非線形歪み成分を副増幅器により増幅し、前記主増幅器の出力信号と前記副増幅器の出力信号とを方向性結合器により合成するフィードフォワード歪み補償増幅方法において、
前記副増幅器への入力信号を前記入力信号または前記入力信号の遅延信号により同期検波し、該同期検波の出力に応じて前記主増幅器の利得ならびに位相を制御し、
前記方向性結合器の出力信号の一部と遅延回路を経て第３の増幅器により増幅された前記入力信号とを合成し、該合成した信号を前記副増幅器への入力信号または前記副増幅器からの出力信号により同期検波し、該同期検波の出力に応じて前記副増幅器の利得ならびに位相を制御する
ものであるフィードフォワード歪み補償増幅方法。
【請求項５】
入力信号を増幅する主増幅器と、
前記主増幅器の出力信号に含まれる非線形歪み成分を増幅する副増幅器と、
前記主増幅器の出力信号と前記副増幅器の出力信号とを合成する方向性結合器と、
前記方向性結合器の出力信号の一部を前記副増幅器への入力信号または前記副増幅器からの出力信号により同期検波する同期検波回路と、
前記同期検波回路の同期検波出力に応じて前記副増幅器の利得ならびに位相を制御する位相・利得調整情報を生成して前記副増幅器へ出力する信号処理回路と
を有するフィードフォワード歪み補償増幅装置。
【請求項６】
入力信号を増幅する主増幅器と、
前記主増幅器の出力信号に含まれる非線形歪み成分を増幅する副増幅器と、
前記主増幅器の出力信号と前記副増幅器の出力信号とを合成する方向性結合器と、
前記方向性結合器の出力信号の一部を前記副増幅器への入力信号または前記副増幅器からの出力信号により同期検波する第１の同期検波回路と、
前記第１の同期検波回路の同期検波出力に応じて前記副増幅器の利得ならびに位相を制御する位相・利得調整情報を生成して前記副増幅器へ出力する第１の信号処理回路と、
前記副増幅器への入力信号を前記入力信号または前記入力信号の遅延信号により同期検波する第２の同期検波回路と、
前記第２の同期検波回路の同期検波出力に応じて前記主増幅器の利得ならびに位相を制御する位相・利得調整情報を生成して前記主増幅器へ出力する第２の信号処理回路と
を有するフィードフォワード歪み補償増幅装置。
【請求項７】
入力信号を増幅する主増幅器と、
前記主増幅器の出力信号に含まれる非線形歪み成分を増幅する副増幅器と、
前記主増幅器の出力信号と前記副増幅器の出力信号とを合成する第１の方向性結合器と、
前記入力信号を遅延する遅延回路と、
前記遅延回路により遅延された前記入力信号を増幅する第３の増幅器と、
前記第１の方向性結合器の出力信号の一部と前記第３の増幅器により増幅された前記入力信号とを合成する第２の方向性結合器と、
前記第２の方向性結合器の出力信号を前記副増幅器への入力信号または前記副増幅器からの出力信号により同期検波する同期検波回路と、
前記同期検波回路の同期検波出力に応じて前記副増幅器の利得ならびに位相を制御する位相・利得調整情報を生成して前記副増幅器へ出力する信号処理回路と
を有するフィードフォワード歪み補償増幅装置。
【請求項８】
入力信号を増幅する主増幅器と、
前記主増幅器の出力信号に含まれる非線形歪み成分を増幅する副増幅器と、
前記主増幅器の出力信号と前記副増幅器の出力信号とを合成する第１の方向性結合器と、
前記入力信号を遅延する遅延回路と、
前記遅延回路により遅延された前記入力信号を増幅する第３の増幅器と、
前記第１の方向性結合器の出力信号の一部と前記第３の増幅器により増幅された前記入力信号とを合成する第２の方向性結合器と、
前記第２の方向性結合器の出力信号を前記副増幅器への入力信号または前記副増幅器からの出力信号により同期検波する第１の同期検波回路と、
前記第１の同期検波回路の同期検波出力に応じて前記副増幅器の利得ならびに位相を制御する位相・利得調整情報を生成して前記副増幅器へ出力する第１の信号処理回路と、
前記副増幅器への入力信号を前記入力信号または前記入力信号の遅延信号により同期検波する第２の同期検波回路と、
前記第２の同期検波回路の同期検波出力に応じて前記主増幅器の利得ならびに位相を制御する位相・利得調整情報を生成して前記主増幅器へ出力する第２の信号処理回路と
を有するフィードフォワード歪み補償増幅装置。
【発明の詳細な説明】
【０００１】
【発明の属する技術分野】
本発明は、フィードフォワード歪み補償増幅方法およびその装置に関し、さらに詳細には、主増幅器で発生する非線形歪みを自動的にキャンセルして補償することができるようにしたフィードフォワード歪み補償増幅方法およびその装置に関する。
【０００２】
【従来の技術】
従来より、入力信号を増幅する増幅装置としてフィードフォワード歪み補償増幅装置が知られており、こうした従来のフィードフォワード歪み補償増幅装置においては、主増幅器で発生する非線形歪み成分をキャンセルするためにパイロット信号を使用するようになされている。
【０００３】
即ち、従来のフィードフォワード歪み補償増幅装置では、パイロット信号の出力が最小になるように位相および利得を制御することにより、主増幅器で発生する非線形歪みを自動的に補償するようになされている。
【０００４】
ここで、図６には、上記したような従来のフィードフォワード歪み補償増幅装置のブロック構成図の一例が示されている。
【０００５】
この図６に示すフィードフォワード歪み補償増幅装置６００は、パイロット信号を生成して主増幅器６０２へ出力するパイロット信号発振器（パイロットＯＳＣ）６０４を備えており、主増幅器６０２においてパイロット信号を入力信号とともに電力増幅している。
【０００６】
より詳細には、フィードフォワード歪み補償増幅装置６００は、フィードフォワード歪み補償増幅装置６００の入力端子（図示せず。）に入力された入力信号を分岐して出力する第１の方向性結合器（ＣＤＣ１）６０６と、第１の方向性結合器６０６の一方の出力側に接続された主増幅器６０２と、主増幅器６０２の出力側に接続されて主増幅器６０２の出力を分岐する第２の方向性結合器（ＣＤＣ２）６０８と、第１の方向性結合器６０６の他方の出力側に接続されて第１の方向性結合器６０６の他方の出力を遅延する第１の遅延回路（ＤＬ１）６１０と、第２の方向性結合器６０８の一方の出力側に接続されて第２の方向性結合器６０８の一方の出力を遅延する第２の遅延回路（ＤＬ２）６１２と、第１の遅延回路６１０の出力側に接続されるとともに第２の方向性結合器６０８の他方の出力側に接続されて第１の遅延回路６１０の出力と第２の方向性結合器６０８の他方の出力とを合成して出力する第３の方向性結合器（ＣＤＣ３）６１４と、第３の方向性結合器６１４の出力側に接続されて第３の方向性結合器６１４の出力を分岐する第４の方向性結合器（ＣＤＣ４）６１６と、第４の方向性結合器６１６の一方の出力側に接続された副増幅器６１８と、第２の遅延回路６１２の出力側に接続されるとともに副増幅器６１８の出力側に接続されて第２の遅延回路６１２の出力と副増幅器６１８の出力とを合成して出力する第５の方向性結合器（ＣＤＣ５）６２０と、第５の方向性結合器６２０の出力側に接続されて第５の方向性結合器６２０の出力を分岐する第６の方向性結合器（ＣＤＣ６）６２２（第６の方向性結合器６２２の一方の出力が、フィードフォワード歪み補償増幅装置６００の出力端子（図示せず。）から外部に出力されて、フィードフォワード歪み補償増幅装置６００の出力信号となる。）と、第６の方向性結合器６２２の他方の出力側に接続されたバンドパスフィルター（ＢＰＦ）６２４と、パイロット信号を生成して主増幅器６０２および同期検波回路６２６（後述する。）へ出力するパイロット信号発振器６０４と、バンドパスフィルター６２４の出力側に接続されるとともにパイロット信号発振器６０４の出力側に接続されて、パイロット信号を同期検波信号として用いてバンドパスフィルター６２４の出力を同期検波して同期検波出力（検波出力Ｑおよび検波出力Ｉ）を得る同期検波回路（ＩＱ  Ｄｅｔｅｃｔｏｒ）６２６と、同期検波回路６２６の出力側に接続されて同期検波回路６２６の出力（同期検波出力）を処理して副増幅器６１８の位相および利得を制御するための位相・利得調整情報（本明細書においては、増幅器の位相および利得を制御するための信号を「位相・利得調整情報」と称することとする。）を生成して副増幅器６１８へ出力する第１の信号処理回路（信号処理１）６２８と、第４の方向性結合器６１６の他方の出力側に接続された電力検出回路（電力検出）６３０と、電力検出回路６３０の出力側に接続されて電力検出回路６３０の出力（電力検出出力）を処理して主増幅器６０２の位相および利得を制御するための位相・利得調整情報を生成して主増幅器６０２へ出力する第２の信号処理回路（信号処理２）６３２とを有している。
【０００７】
以上の構成において、第１の方向性結合器６０６において分岐された入力信号は、パイロット信号発振器６０４により発生されたパイロット信号とともに、主増幅器６０２において電力増幅される。
【０００８】
そして、主増幅器６０２の出力は第２の方向性結合器６０８により分岐され、第２の方向性結合器６０８により分岐された一方の出力は、第２の遅延回路６１２を経て、第５の方向性結合器６２０において副増幅器６１８の出力と合成され、さらに第６の方向性結合器６２２を経て出力信号となる。
【０００９】
一方、第２の方向性結合器６０８により分岐された他方の出力は、第３の方向性結合器６１４において、第１の方向性結合器６０６により分岐されて第１の遅延回路６１０を経由した入力信号と合成される。この合成により入力信号成分は相殺されて、相殺された残りである第３の方向性結合器６１４の出力は、主増幅器６０２の非線形歪み成分およびパイロット信号成分となる。
【００１０】
そして、第３の方向性結合器６１４の出力は、第４の方向性結合器６１６により分岐され、第４の方向性結合器６１６により分岐された一方の出力は、副増幅器６１８で増幅され、第５の方向性結合器６２０において主増幅器６０２の出力と合成される。
【００１１】
従って、副増幅器６１８の利得ならびに位相が適当であれば、第５の方向性結合器６２０における合成により主増幅器６０２の非線形歪み成分ならびにパイロット信号成分は相殺される。
【００１２】
換言すれば、第５の方向性結合器６２０の出力にパイロット信号成分が存在すれば、第５の方向性結合器６２０の出力に主増幅器６０２の非線形歪み成分も残っていることになる。
【００１３】
ここで、第５の方向性結合器６２０における合成により主増幅器６０２の非線形歪み成分ならびにパイロット信号成分が相殺されるように副増幅器６１８の利得ならびに位相を制御するために、第６の方向性結合器６２２により第５の方向性結合器６２０の出力の一部を取り出して、その取り出した出力の一部からバンドパスフィルター６２４によりパイロット信号成分のみを選別し、同期検波回路６２６においてパイロット信号発振器６０４により発生されたパイロット信号を同期検波信号として用いて同期検波する。
【００１４】
この同期検波回路６２６の出力たる同期検波出力が大きいということは、フィードフォワード歪み補償増幅装置６００の出力信号に含まれる主増幅器６０２の非線形歪み成分が相殺されていないことを示している。従って、同期検波出力が小さくなる、即ち、パイロット信号成分が最小となるように副増幅器６１８の利得ならびに位相が制御されるように、第１の信号処理回路６２８において同期検波出力を処理して副増幅器６１８を制御する位相・利得調整情報を生成し、この生成した位相・利得調整情報により副増幅器６１８の位相ならびに利得を制御する。
【００１５】
ここで、このフィードフォワード歪み補償増幅装置６００においては、パイロット信号発振器６０４により発生されるパイロット信号の周波数を入力信号の周波数帯域外に設定し、主増幅器６０２の出力と副増幅器６１８の出力とを合成した後で、バンドパスフィルター６２４によりパイロット信号成分を選別するようにしている。
【００１６】
なお、パイロット信号成分をより良く検出するために、同期検波信号としてパイロット信号およびパイロット信号の位相を９０度回転した信号を用いて同期検波することにより、この両方の同期検波信号による同期検波出力から副増幅器６１８の位相ならびに利得を制御する位相・利得調整情報を導くことも可能であるが、いずれにしても入力信号帯域の影響を受けないようにするために、パイロット信号の周波数をある程度は入力信号の周波数帯域から離さなくてはならない。
【００１７】
一方、パイロット信号の周波数を入力信号の周波数帯域からあまり離さないようにしてパイロット信号成分の検出感度を上げるために、パイロット信号の周波数を中間周波数（ＩＦ）に周波数変換し、中間周波数に周波数変換したパイロット信号を中間周波数信号により同期検波する方法なども採用されている。
【００１８】
また、このフィードフォワード歪み補償増幅装置６００においては、第４の方向性結合器６１６により分岐された他方の出力の電力を電力検出回路６３０により検出し、その検出結果に応じて第２の信号処理回路６３２により主増幅器６０２を制御する位相・利得調整情報を生成し、主増幅器６０２による入力信号とパイロット信号との電力増幅を制御している。
【００１９】
しかしながら、こうした従来のフィードフォワード歪み補償増幅装置においては、以下に説明するように種々の問題点が指摘されていた。
【００２０】
即ち、例えば、フィードフォワード歪み補償増幅装置を携帯電話の送信信号の増幅などに用いる場合を考慮すると、たとえパイロット信号が最小になるように制御したとしても、パイロット信号の周波数は送信信号の周波数帯域内にはないため規制が厳しいという問題点があり、また、パイロット信号のレベルが規制を満たすほど充分に小さくならない場合には、回路内にパイロット信号除去用のバンドパスフィルター（ＢＰＦ）を別途設けなくてはならないという問題点があった。
【００２１】
さらに、このパイロット信号除去用のバンドパスフィルターを回路内に挿入することにより、当該バンドパスフィルターの挿入損失分だけ主増幅器による電力増幅を上げねばならないという問題点があった。
【００２２】
また、パイロット信号を最小にする時に同時に送信信号の歪み成分も相殺されるように、パイロット信号の周波数も含めてフィードフォワード歪み補償増幅装置の周波数帯域特性を広帯域において振幅ならびに位相ともに均一にしなければならないという問題点があった。
【００２３】
【発明が解決しようとする課題】
本発明は、上記したような従来の技術の有する種々の問題点に鑑みてなされたものであり、その目的とするところは、パイロット信号を用いることなく主増幅器の非線形歪み成分を自動的にキャンセルすることができるようにしたフィードフォワード歪み補償増幅方法ならびにその装置を提供しようとするものである。
【００２４】
【課題を解決するための手段】
上記目的を達成するために、本発明によるフィードフォワード歪み補償増幅方法およびその装置は、パイロット信号を使用する代わりに、入力信号を直接利用するようにしたものである。
【００２５】
即ち、本発明によるフィードフォワード歪み補償増幅方法およびその装置は、主増幅器の非線形歪み成分の信号を同期検波信号として出力信号内の非線形歪み成分を同期検波し、この同期検波による出力（同期検波出力）により副増幅器の位相ならびに利得を制御するようにしたものである。
【００２６】
換言すれば、本発明によるフィードフォワード歪み補償増幅方法およびその装置は、パイロット信号を使用する代わりに、入力信号の相互変調（ＩＭ：ｉｎｔｅｒ−ｍｏｄｕｒａｔｉｏｎ）成分を使用するようにしたものである。
【００２７】
即ち、本発明のうちの請求項１に記載の発明は、入力信号を増幅する主増幅器の出力信号に含まれる非線形歪み成分を副増幅器により増幅し、上記主増幅器の出力信号と上記副増幅器の出力信号とを方向性結合器により合成するフィードフォワード歪み補償増幅方法において、上記方向性結合器の出力信号の一部を上記副増幅器への入力信号または上記副増幅器からの出力信号により同期検波し、該同期検波の出力に応じて上記副増幅器の利得ならびに位相を制御するようにしたものである。
【００２８】
また、本発明のうちの請求項２に記載の発明は、入力信号を増幅する主増幅器の出力信号に含まれる非線形歪み成分を副増幅器により増幅し、上記主増幅器の出力信号と上記副増幅器の出力信号とを方向性結合器により合成するフィードフォワード歪み補償増幅方法において、上記副増幅器への入力信号を上記入力信号または上記入力信号の遅延信号により同期検波し、該同期検波の出力に応じて上記主増幅器の利得ならびに位相を制御し、上記方向性結合器の出力信号の一部を上記副増幅器への入力信号または上記副増幅器からの出力信号により同期検波し、該同期検波の出力に応じて上記副増幅器の利得ならびに位相を制御するようにしたものである。
【００２９】
また、本発明のうちの請求項３に記載の発明は、入力信号を増幅する主増幅器の出力信号に含まれる非線形歪み成分を副増幅器により増幅し、上記主増幅器の出力信号と上記副増幅器の出力信号とを方向性結合器により合成するフィードフォワード歪み補償増幅方法において、上記方向性結合器の出力信号の一部と遅延回路を経て第３の増幅器により増幅された上記入力信号とを合成し、該合成した信号を上記副増幅器への入力信号または上記副増幅器からの出力信号により同期検波し、該同期検波の出力に応じて上記副増幅器の利得ならびに位相を制御するようにしたものである。
【００３０】
また、本発明のうちの請求項４に記載の発明は、入力信号を増幅する主増幅器の出力信号に含まれる非線形歪み成分を副増幅器により増幅し、上記主増幅器の出力信号と上記副増幅器の出力信号とを方向性結合器により合成するフィードフォワード歪み補償増幅方法において、上記副増幅器への入力信号を上記入力信号または上記入力信号の遅延信号により同期検波し、該同期検波の出力に応じて上記主増幅器の利得ならびに位相を制御し、上記方向性結合器の出力信号の一部と遅延回路を経て第３の増幅器により増幅された上記入力信号とを合成し、該合成した信号を上記副増幅器への入力信号または上記副増幅器からの出力信号により同期検波し、該同期検波の出力に応じて上記副増幅器の利得ならびに位相を制御するようにしたものである。
【００３１】
また、本発明のうちの請求項５に記載の発明は、入力信号を増幅する主増幅器と、上記主増幅器の出力信号に含まれる非線形歪み成分を増幅する副増幅器と、上記主増幅器の出力信号と上記副増幅器の出力信号とを合成する方向性結合器と、上記方向性結合器の出力信号の一部を上記副増幅器への入力信号または上記副増幅器からの出力信号により同期検波する同期検波回路と、上記同期検波回路の同期検波出力に応じて上記副増幅器の利得ならびに位相を制御する位相・利得調整情報を生成して上記副増幅器へ出力する信号処理回路とを有するようにしたものである。
【００３２】
また、本発明のうちの請求項６に記載の発明は、入力信号を増幅する主増幅器と、上記主増幅器の出力信号に含まれる非線形歪み成分を増幅する副増幅器と、上記主増幅器の出力信号と上記副増幅器の出力信号とを合成する方向性結合器と、上記方向性結合器の出力信号の一部を上記副増幅器への入力信号または上記副増幅器からの出力信号により同期検波する第１の同期検波回路と、上記第１の同期検波回路の同期検波出力に応じて上記副増幅器の利得ならびに位相を制御する位相・利得調整情報を生成して上記副増幅器へ出力する第１の信号処理回路と、上記副増幅器への入力信号を上記入力信号または上記入力信号の遅延信号により同期検波する第２の同期検波回路と、上記第２の同期検波回路の同期検波出力に応じて上記主増幅器の利得ならびに位相を制御する位相・利得調整情報を生成して上記主増幅器へ出力する第２の信号処理回路とを有するようにしたものである。
【００３３】
また、本発明のうちの請求項７に記載の発明は、入力信号を増幅する主増幅器と、上記主増幅器の出力信号に含まれる非線形歪み成分を増幅する副増幅器と、上記主増幅器の出力信号と上記副増幅器の出力信号とを合成する第１の方向性結合器と、上記入力信号を遅延する遅延回路と、上記遅延回路により遅延された上記入力信号を増幅する第３の増幅器と、上記第１の方向性結合器の出力信号の一部と上記第３の増幅器により増幅された上記入力信号とを合成する第２の方向性結合器と、上記第２の方向性結合器の出力信号を上記副増幅器への入力信号または上記副増幅器からの出力信号により同期検波する同期検波回路と、上記同期検波回路の同期検波出力に応じて上記副増幅器の利得ならびに位相を制御する位相・利得調整情報を生成して上記副増幅器へ出力する信号処理回路とを有するようにしたものである。
【００３４】
また、本発明のうちの請求項８に記載の発明は、入力信号を増幅する主増幅器と、上記主増幅器の出力信号に含まれる非線形歪み成分を増幅する副増幅器と、上記主増幅器の出力信号と上記副増幅器の出力信号とを合成する第１の方向性結合器と、上記入力信号を遅延する遅延回路と、上記遅延回路により遅延された上記入力信号を増幅する第３の増幅器と、上記第１の方向性結合器の出力信号の一部と上記第３の増幅器により増幅された上記入力信号とを合成する第２の方向性結合器と、上記第２の方向性結合器の出力信号を上記副増幅器への入力信号または上記副増幅器からの出力信号により同期検波する第１の同期検波回路と、上記第１の同期検波回路の同期検波出力に応じて上記副増幅器の利得ならびに位相を制御する位相・利得調整情報を生成して上記副増幅器へ出力する第１の信号処理回路と、上記副増幅器への入力信号を上記入力信号または上記入力信号の遅延信号により同期検波する第２の同期検波回路と、上記第２の同期検波回路の同期検波出力に応じて上記主増幅器の利得ならびに位相を制御する位相・利得調整情報を生成して上記主増幅器へ出力する第２の信号処理回路とを有するようにしたものである。
【００３５】
従って、本発明の各請求項に記載の発明によれば、パイロット信号を使用することがないので、パイロット信号を使用することにより起因する「従来の技術」の項で説明した種々の問題点を招来することがない。
【００３６】
そして、本発明の各請求項に記載の発明によれば、主増幅器の出力電力が緩和されるとともに、周波数帯域特性の確保が簡易化されるので、フィードフォワード歪み補償増幅装置を製造する際の製造コストを大幅に削減することが可能になる。
【００３７】
【発明の実施の形態】
以下、添付の図面に基づいて、本発明によるフィードフォワード歪み補償増幅方法およびその装置の実施の形態について詳細に説明するものとする。
【００３８】
図１には、本発明によるフィードフォワード歪み補償増幅装置の実施の形態の一例のブロック構成図が示されている。
【００３９】
この図１に示すフィードフォワード歪み補償増幅装置１００は、フィードフォワード歪み補償増幅装置１００の入力端子（図示せず。）に入力された入力信号を分岐して出力する第１の方向性結合器（ＣＤＣ１）１０６と、第１の方向性結合器１０６の一方の出力側に接続されて当該出力たるフィードフォワード歪み補償増幅装置１００への入力信号を電力増幅する主増幅器１０２と、主増幅器１０２の出力側に接続されて主増幅器１０２の出力信号を分岐する第２の方向性結合器（ＣＤＣ２）１０８と、第１の方向性結合器１０６の他方の出力側に接続されて第１の方向性結合器１０６の他方の出力を遅延する第１の遅延回路（ＤＬ１）１１０と、第２の方向性結合器１０８の一方の出力側に接続されて第２の方向性結合器１０８の一方の出力を遅延する第２の遅延回路（ＤＬ２）１１２と、第１の遅延回路１１０の出力側に接続されるとともに第２の方向性結合器１０８の他方の出力側に接続されて第１の遅延回路１１０の出力と第２の方向性結合器１０８の他方の出力とを合成して出力する第３の方向性結合器（ＣＤＣ３）１１４と、第３の方向性結合器１１４の出力側に接続されて第３の方向性結合器１１４の出力を分岐する第４の方向性結合器（ＣＤＣ４）１１６と、第４の方向性結合器１１６の一方の出力側に接続された副増幅器１１８と、副増幅器１１８の出力側に接続されて副増幅器１１８の出力を分岐する第７の方向性結合器（ＣＤＣ７）１１９と、第２の遅延回路１１２の出力側に接続されるとともに第７の方向性結合器１１９の一方の出力側に接続されて第２の遅延回路１１２の出力と第７の方向性結合器１１９の一方の出力（第７の方向性結合器１１９の一方の出力は、副増幅器１１８からの出力信号を分岐したものである。）とを合成して出力する第５の方向性結合器（ＣＤＣ５）１２０と、第５の方向性結合器１２０の出力側に接続されて第５の方向性結合器１２０の出力を分岐する第６の方向性結合器（ＣＤＣ６）１２２（第６の方向性結合器１２２の一方の出力が、フィードフォワード歪み補償増幅装置１００の出力端子（図示せず。）から外部に出力されて、フィードフォワード歪み補償増幅装置１００の出力信号となる。）と、第７の方向性結合器１１９の他方の出力側に接続されるとともに第６の方向性結合器１２２の他方の出力側に接続されて、第７の方向性結合器１１９の他方の出力（第７の方向性結合器１１９の他方の出力は、副増幅器１１８からの出力信号を分岐したものである。）を同期検波信号として用いて第６の方向性結合器１２２の他方の出力を同期検波して同期検波出力（検波出力Ｑおよび検波出力Ｉ）を得る同期検波回路（ＩＱ  Ｄｅｔｅｃｔｏｒ）１２６と、同期検波回路１２６の出力側に接続されて同期検波回路１２６の出力（同期検波出力）を処理して副増幅器１１８の位相および利得を制御するための位相・利得調整情報を生成して副増幅器１１８へ出力する第１の信号処理回路（信号処理１）１２８と、第４の方向性結合器１１６の他方の出力側に接続された電力検出回路（電力検出）１３０と、電力検出回路１３０の出力側に接続されて電力検出回路１３０の出力（電力検出出力）を処理して主増幅器１０２の位相および利得を制御するための位相・利得調���情報を生成して主増幅器１０２へ出力する第２の信号処理回路（信号処理２）１３２とを有している。
【００４０】
以上の構成において、第１の方向性結合器１０６において分岐されたフィードフォワード歪み補償増幅装置１００への入力信号は、主増幅器１０２において電力増幅される。
【００４１】
そして、主増幅器１０２からの出力信号は第２の方向性結合器１０８により分岐され、第２の方向性結合器１０８により分岐された一方の出力は、第２の遅延回路１１２を経て、第５の方向性結合器１２０において、第７の方向性結合器１１９の一方の出力、即ち、副増幅器１１８からの出力信号と合成され、さらに第６の方向性結合器１２２を経て、フィードフォワード歪み補償増幅装置１００の出力信号となる。
【００４２】
一方、第２の方向性結合器１０８により分岐された他方の出力は、第３の方向性結合器１１４において、第１の方向性結合器１０６により分岐されて第１の遅延回路１１０を経由したフィードフォワード歪み補償増幅装置１００への入力信号と合成される。この合成によりフィードフォワード歪み補償増幅装置１００への入力信号成分は相殺されて、相殺された残りである第３の方向性結合器１１４の出力は、主増幅器１０２の非線形歪み成分となる。
【００４３】
そして、第３の方向性結合器１１４の出力は、第４の方向性結合器１１６により分岐され、第４の方向性結合器１１６により分岐された一方の出力は、副増幅器１１８で増幅され、副増幅器１１８からの増幅信号は第７の方向性結合器１１９で分岐され、上記したように、第５の方向性結合器１２０において、第７の方向性結合器１１９の一方の出力、即ち、副増幅器１１８からの出力信号と主増幅器１０２の出力信号とが合成される。
【００４４】
従って、副増幅器１１８の利得ならびに位相が適当であれば、第５の方向性結合器１２０における合成により、主増幅器１０２の非線形歪み成分は相殺される。
【００４５】
ここで、第５の方向性結合器１２０における合成により主増幅器１０２の非線形歪み成分が相殺されるように副増幅器１１８の利得ならびに位相を制御するために、第６の方向性結合器１２２により第５の方向性結合器１２０の出力の一部を取り出して、同期検波回路１２６において第７の方向性結合器１１９により分岐された他方の出力（第７の方向性結合器１１９により分岐された他方の出力は、副増幅器１１８からの出力信号を分岐したものである。）を同期検波信号として用いて同期検波する。
【００４６】
この同期検波回路１２６の出力たる同期検波出力が大きいということは、フィードフォワード歪み補償増幅装置１００の出力信号に含まれる主増幅器１０２の非線形歪み成分が相殺されていないことを示している。従って、同期検波出力が小さくなる、即ち、主増幅器１０２の非線形歪み成分が最小となるように副増幅器１１８の利得ならびに位相が制御されるように、第１の信号処理回路１２８において同期検波出力を処理して副増幅器１１８を制御する位相・利得調整情報を生成し、この生成した位相・利得調整情報により副増幅器１１８の位相ならびに利得を制御する。
【００４７】
また、このフィードフォワード歪み補償増幅装置１００においては、第４の方向性結合器１１６により分岐された他方の出力の電力を電力検出回路１３０により検出し、その検出結果に応じて第２の信号処理回路１３２により主増幅器１０２を制御する位相・利得調整情報を生成し、主増幅器１０２によるフィードフォワード歪み補償増幅装置１００への入力信号とパイロット信号との電力増幅を制御している。
【００４８】
即ち、上記したフィードフォワード歪み補償増幅装置１００は、主増幅器１０２の出力信号に含まれる非線形歪み成分を副増幅器１１８にて増幅し、主増幅器１０２の出力信号と第５の方向性結合器１２０において合成するものであるが、第５の方向性結合器１２０の出力を分岐する第６の方向性結合器１２２の出力（第６の方向性結合器１２２の出力が、フィードフォワード歪み補償増幅装置１００の出力信号となる。）の一部を第７の方向性結合器１１９の出力、即ち、副増幅器１１８からの出力信号により同期検波し、この同期検波の出力（同期検波出力）に応じて副増幅器１１８の利得および位相を制御するようにしたものである。
【００４９】
より詳細には、フィードフォワード歪み補償増幅装置１００においては、
第４の方向性結合器１１６−電力検出回路１３０−第２の信号処理回路１３２−主増幅器１０２−第２の方向性結合器１０８−第３の方向性結合器１１４−第４の方向性結合器１１６
というループが形成されており、このループは主増幅器１０２の出力信号とフィードフォワード歪み補償増幅装置１００への入力信号との相殺が充分良く行われるようにするための歪み検出ループとして機能している。
【００５０】
つまり、第４の方向性結合器１１６の出力が最小になるように、主増幅器１０２の位相ならびに利得を制御することにより、第４の方向性結合器１１６の出力は、主として主増幅器１０２が発生する非線形歪み成分が大半となる。
【００５１】
従って、第４の方向性結合器１１６の出力を増幅する副増幅器１１８の出力信号を同期検波信号として、第６の方向性結合器１２２により分岐された出力を同期検波すると、非線形歪み成分のみが同期検波出力となる。なお、フィードフォワード歪み補償増幅装置１００への入力信号成分は雑音として出力されることになるが、平均化すると零になる。
【００５２】
次に、図２には、本発明によるフィードフォワード歪み補償増幅装置の実施の形態の他の例のブロック構成図が示されている。なお、図１に示すフィードフォワード歪み補償増幅装置の構成と同一または相当する構成には、図１において用いた符号と同一の符号を用いて示すことにより図１に関する説明を援用するものであり、重複する構成ならびに作用の説明は省略する。
【００５３】
この図２に示すフィードフォワード歪み補償増幅装置２００においては、第４の方向性結合器１１６の出力を単に電力検出するのではなく、第２の同期検波回路（同期検波回路２：ＩＱ  Ｄｅｔｅｃｔｏｒ）２０４において、フィードフォワード歪み補償増幅装置２００への入力信号で同期検波するようにした点において、図１に示すフィードフォワード歪み補償増幅装置と異なっている。
【００５４】
即ち、フィードフォワード歪み補償増幅装置２００は、主増幅器１０２の出力信号に含まれる非線形歪み成分を副増幅器１１８にて増幅し、主増幅器１０２の出力信号と第５の方向性結合器１２０において合成するものであるが、副増幅器１１８への入力信号（第４の方向性結合器１１６の出力である。）をフィードフォワード歪み補償増幅装置２００への入力信号（第８の方向性結合器２０２の出力である。）で同期検波し、この同期検波の出力（同期検波出力）に応じて主増幅器１０２の利得および位相を制御するとともに、第５の方向性結合器１２０の出力を分岐する第６の方向性結合器１２２の出力（第６の方向性結合器１２２の出力が、フィードフォワード歪み補償増幅装置１００の出力信号となる。）の一部を第７の方向性結合器１１９の出力、即ち、副増幅器１１８からの出力信号により同期検波し、この同期検波の出力（同期検波出力）に応じて副増幅器１１８の利得および位相を制御するようにしたものである。
【００５５】
より詳細には、図２に示すフィードフォワード歪み補償増幅装置２００は、第１の方向性結合器１０６の他方の出力側に接続されて第１の方向性結合器１０６の他方の出力を分岐する第８の方向性結合器（ＣＤＣ８）２０２を備えており、第８の方向性結合器（ＣＤＣ８）２０２の一方の出力が第１の遅延回路（ＤＬ１）１１０へ入力されるようになされている。
【００５６】
さらに、フィードフォワード歪み補償増幅装置２００は、第４の方向性結合器１１６の他方の出力側に接続されるとともに第８の方向性結合器２０２の他方の出力側に接続されて、第８の方向性結合器２０２の他方の出力を同期検波信号として、第４の方向性結合器１１６の他方の出力を同期検波して同期検波出力（検波出力Ｑおよび検波出力Ｉ）を得る第２の同期検波回路２０４と、第２の同期検波回路２０４の出力側に接続されて第２の同期検波回路２０４の出力（同期検波出力）を処理して主増幅器１０２の位相および利得を制御するための位相・利得調整情報を生成して主増幅器１０２へ出力する第２の信号処理回路（信号処理２）２０６とを有している。
【００５７】
このフィードフォワード歪み補償増幅装置２００においては、第２の同期検波回路の同期検波出力がゼロになるように、主増幅器１０２の位相ならびに利得が制御される。
【００５８】
このことにより、フィードフォワード歪み補償増幅装置２００への入力信号帯域に亘っての第４の方向性結合器１１６の出力のなかの入力信号成分は、フィードフォワード歪み補償増幅装置２００への入力信号との積がゼロになるような信号成分となり、第２の同期検波回路２０４において当該入力信号で第４の方向性結合器１１６の出力を検波すると、第４の方向性結合器１１６の出力に含まれる当該入力信号成分の割合が無くなり、主増幅器１０２ならびに副増幅器１１８の位相ならびに利得の制御がより正しく行われ、非線形歪み補償が充分にできるようになる。
【００５９】
ここで、図２に示すフィードフォワード歪み補償増幅装置２００においては、フィードフォワード歪み補償増幅装置２００への入力信号（第８の方向性結合器２０２の出力である。）を同期検波信号として用いて、副増幅器１１８への入力信号（第４の方向性結合器１１６の出力である。）を同期検波するようにしたが、これに限られるものではないことは勿論であり、フィードフォワード歪み補償増幅装置２００への入力信号を遅延させた信号（例えば、第１の遅延回路１１０からの出力信号である。）を同期検波信号として用いて、副増幅器１１８への入力信号（第４の方向性結合器１１６の出力である。）を同期検波するようにしてもよい。
【００６０】
なお、図１に示すフィードフォワード歪み補償増幅装置１００あるいは図２に示すフィードフォワード歪み補償増幅装置２００においては、第６の方向性結合器１２２の出力信号の一部を副増幅器１１８からの出力信号により同期検波するようにしたが、これに限られるものではないことは勿論であり、第６の方向性結合器１２２の出力信号の一部を副増幅器１１８への入力信号により同期検波するようにしてもよい。
【００６１】
具体的には、例えば、図１に示すフィードフォワード歪み補償増幅装置１００に対応する図７に示すフィードフォワード歪み補償増幅装置７００あるいは図２に示すフィードフォワード歪み補償増幅装置２００に対応する図８に示すフィードフォワード歪み補償増幅装置８００に示すように、第６の方向性結合器１２２により第５の方向性結合器１２０の出力の一部を取り出して、同期検波回路１２６において第４の方向性結合器１１６により分岐された他方の出力、即ち、副増幅器１１８への入力信号を同期検波信号として用いて同期検波するようにしてもよい。
【００６２】
次に、図３には、本発明によるフィードフォワード歪み補償増幅装置の実施の形態の他の例のブロック構成図が示されている。なお、図１ならびに図２に示すフィードフォワード歪み補償増幅装置の構成と同一または相当する構成には、図１ならびに図２において用いた符号と同一の符号を用いて示すことにより図１ならびに図２に関する説明を援用するものであり、重複する構成ならびに作用の説明は省略する。
【００６３】
この図３に示すフィードフォワード歪み補償増幅装置３００は、主増幅器１０２の出力信号に含まれる非線形歪み成分を副増幅器１１８にて増幅し、主増幅器１０２の出力信号と第５の方向性結合器１２０にて合成するものであるが、第５の方向性結合器１２０の出力を分岐する第６の方向性結合器１２２の出力（第６の方向性結合器１２２の出力が、フィードフォワード歪み補償増幅装置１００の出力信号となる。）の一部とフィードフォワード歪み補償増幅装置３００への入力信号を第３の遅延回路（ＤＬ３）３０４を経て第３増幅器３０６で増幅した信号とを合成し、この合成した信号を第７の方向性結合器１１９の出力、即ち、副増幅器１１８からの出力信号により同期検波し、この同期検波の出力（同期検波出力）に応じて副増幅器１１８の利得および位相を制御するようにしたものである。
【００６４】
より詳細には、図３に示すフィードフォワード歪み補償増幅装置３００は、第１の遅延回路１１０の出力側に接続されて第１の遅延回路１１０の出力を分岐する第９の方向性結合器（ＣＤＣ９）３０２を備えており、第９の方向性結合器３０２の一方の出力が第３の方向性結合器１１４へ入力されるようになされている。
【００６５】
さらに、フィードフォワード歪み補償増幅装置３００は、第９の方向性結合器３０２の他方の出力側に接続されて第９の方向性結合器３０２の他方の出力を遅延する第３の遅延回路３０４と、第３の遅延回路３０４の出力側に接続された第３増幅器３０６と、第６の方向性結合器１２２の他方の出力側に接続されるとともに第３増幅器３０６の出力側に接続されて、第６の方向性結合器１２２の他方の出力と第３増幅器３０６の出力信号とを合成して出力する第１０の方向性結合器（ＣＤＣ１０）３０８と、第１０の方向性結合器３０８の出力側に接続された第２の電力検出回路（電力検出２）３１０と、第２の電力検出回路３１０の出力側に接続されて第２の電力検出回路３１０の出力（電力検出出力）を処理して第３増幅器３０６の位相および利得を制御するための位相・利得調整情報を生成して第３増幅器３０６へ出力する第３の信号処理回路（信号処理３）３１２と、第７の方向性結合器１１９の他方の出力側に接続されるとともに第１０の方向性結合器３０８の出力側に接続されて、第７の方向性結合器１１９の他方の出力を同期検波信号として、第１０の方向性結合器３０８の出力を同期検波して同期検波出力（検波出力Ｑおよび検波出力Ｉ）を得る第１の同期検波回路（同期検波回路１：ＩＱ  Ｄｅｔｅｃｔｏｒ）３２６と、第１の同期検波回路３２６の出力側に接続されて第１の同期検波回路３２６の出力（同期検波出力）を処理して副増幅器１１８の位相および利得を制御するための位相・利得調整情報を生成して副増幅器１１８へ出力する第１の信号処理回路（信号処理１）３２８とを有している。
【００６６】
このフィードフォワード歪み補償増幅装置３００においては、フィードフォワード歪み補償増幅装置３００の出力信号の一部を同期検波する前に、第３の遅延回路３０４を経て第３増幅器３０６で増幅したフィードフォワード歪み補償増幅装置３００への入力信号により、当該出力信号の一部に含まれる信号成分を相殺するようにしたので、第１の同期検波回路３２６の出力に含まれるフィードフォワード歪み補償増幅装置３００への入力信号成分の割合が少なくなり、副増幅器１１８の位相ならびに利得の制御がより正しく行われ、非線形歪み補償が充分にできるようになる。
【００６７】
次に、図４には、本発明によるフィードフォワード歪み補償増幅装置の実施の形態の他の例のブロック構成図が示されている。なお、図１、図２ならびに図３に示すフィードフォワード歪み補償増幅装置の構成と同一または相当する構成には、図１、図２ならびに図３において用いた符号と同一の符号を用いて示すことにより図１、図２ならびに図３に関する説明を援用するものであり、重複する構成ならびに作用の説明は省略する。
【００６８】
この図４に示すフィードフォワード歪み補償増幅装置４００は、主増幅器１０２の出力信号に含まれる非線形歪み成分を副増幅器１１８にて増幅し、主増幅器１０２の出力信号と第５の方向性結合器１２０にて合成するものであるが、副増幅器１１８への入力信号（第４の方向性結合器１１６の出力である。）をフィードフォワード歪み補償増幅装置４００への入力信号で同期検波し、この同期検波出力にて主増幅器１０２の利得ならびに位相を制御するとともに、第５の方向性結合器１２０の出力を分岐する第６の方向性結合器１２２の出力（第６の方向性結合器１２２の出力が、フィードフォワード歪み補償増幅装置１００の出力信号となる。）の一部と入力信号を第３の遅延回路（ＤＬ３）３０４を経て第３増幅器３０６で増幅した信号とを合成し、この合成した信号を第７の方向性結合器１１９の出力、即ち、副増幅器１１８からの出力信号により同期検波し、この同期検波の出力（同期検波出力）に応じて副増幅器１１８の利得および位相を制御するようにしたものである。
【００６９】
即ち、フィードフォワード歪み補償増幅装置４００は、図２に示すような入力信号による同期検波の手法を採用するとともに、図３に示すような出力信号の非線形歪み成分検出前における入力信号成分の相殺による入力信号成分の除去の手法を採用しているので、第１の同期検波回路３２６の出力に含まれる入力信号成分の割合がさらに少なくなり、副増幅器１１８の位相ならびに利得の制御がより完全に行われ、非線形歪み補償が充分にできるようになる。
【００７０】
ここで、図４に示すフィードフォワード歪み補償増幅装置２００においては、フィードフォワード歪み補償増幅装置４００への入力信号（第８の方向性結合器２０２の出力である。）を同期検波信号として用いて、副増幅器１１８への入力信号（第４の方向性結合器１１６の出力である。）を同期検波するようにしたが、これに限られるものではないことは勿論であり、フィードフォワード歪み補償増幅装置４００への入力信号を遅延させた信号（例えば、第１の遅延回路１１０からの出力信号である。）を同期検波信号として用いて、副増幅器１１８への入力信号（第４の方向性結合器１１６の出力である。）を同期検波するようにしてもよい。
【００７１】
なお、図３に示すフィードフォワード歪み補償増幅装置３００あるいは図４に示すフィードフォワード歪み補償増幅装置４００においては、第６の方向性結合器１２２の出力信号の一部と第３の遅延回路３０４を経て第３の増幅器３０６により増幅された入力信号とを合成した信号を副増幅器１１８からの出力信号により同期検波するようにしたが、これに限られるものではないことは勿論であり、当該合成した信号を副増幅器１１８への入力信号により同期検波するようにしてもよい。
【００７２】
具体的には、例えば、図３に示すフィードフォワード歪み補償増幅装置３００に対応する図９に示すフィードフォワード歪み補償増幅装置９００あるいは図４に示すフィードフォワード歪み補償増幅装置４００に対応する図１０に示すフィードフォワード歪み補償増幅装置１０００に示すように、第１の同期検波回路３２６において、第４の方向性結合器１１６により分岐された他方の出力、即ち、副増幅器１１８への入力信号を同期検波信号として、第６の方向性結合器１２２の出力信号の一部と第３の遅延回路３０４を経て第３の増幅器３０６により増幅された入力信号とを合成した信号を同期検波するようにしてもよい。
【００７３】
また、図３、図４、図９ならびに図１０に示すフィードフォワード歪み補償増幅装置３００、４００、９００、１０００においては、第３増幅器３０６の位相ならびに利得の制御のために第２の電力検出回路（電力検出２）を用いて電力検出しているが、第１０の方向性結合器３０８の出力信号を、第３増幅器３０６の入力信号または出力信号により同期検波した同期検波出力により、第３増幅器３０６の位相ならびに利得の制御をしてもよい。
【００７４】
ここで、図５には、図１乃至図４ならびに図７乃至図１０に示す同期検波回路１２６、第２の同期検波回路２０４、第１の同期検波回路３２６の構成の一例が示されている。
【００７５】
即ち、同期検波回路１２６、第２の同期検波回路２０４ならびに第１の同期検波回路３２６は、同期検波信号を増幅するリミッタ増幅器（リミッタＡＭＰ）５０２と、リミッタ増幅器５０２の出力側に接続されてリミッタ増幅器５０２の出力の位相を９０度回転する９０度位相器５０４と、９０度位相器５０４の出力側に接続されて９０度位相器５０４の出力と被検波信号とを乗算して検波出力Ｑを得る第１の乗算器（乗算器１）５０６と、リミッタ増幅器５０２の出力側に接続されてリミッタ増幅器５０２の出力と被検波信号とを乗算して検波出力Ｉを得る第２の乗算器（乗算器２）５０８とを有している。
【００７６】
以上の構成において、同期検波信号はリミッタ増幅器５０２で増幅され、さらに、９０度位相器５０４により９０度位相を回転した同期検波信号も発生されるので、第１の乗算器５０６ならびに第２の乗算器５０８において、同期検波信号ならびに９０度位相を回転した同期検波信号に被検波信号をそれぞれ乗算すると、同期検波出力として同相分および９０度位相ずれ分の検波出力Ｉおよび検波出力Ｑが得られる。
【００７７】
なお、いずれの検波出力も、被検波信号の位相が検波信号と位相反転していると、負極性の出力となる。
【００７８】
以上において説明した本発明による各実施の形態によれば、パイロット信号を利用する方法と比較すると、パイロット信号を生成するためのパイロット信号源が不要になり、主増幅器１０２の出力電力を緩和することができ、帯域特性確保が簡易になり、このため製造費用削減などへの効果が著しいものといえる。
【００７９】
は大きい。
【００８０】
【発明の効果】
本発明は、以上説明したように構成されているので、パイロット信号を用いることなく主増幅器の非線形歪み成分を自動的にキャンセルすることができるようになるという優れた効果を奏する。
【図面の簡単な説明】
【図１】本発明によるフィードフォワード歪み補償増幅装置の実施の形態の一例を示すブロック構成図である。
【図２】本発明によるフィードフォワード歪み補償増幅装置の実施の形態の他の例を示すブロック構成図である。
【図３】本発明によるフィードフォワード歪み補償増幅装置の実施の形態の他の例を示すブロック構成図である。
【図４】本発明によるフィードフォワード歪み補償増幅装置の実施の形態の他の例を示すブロック構成図である。
【図５】図１乃至図４に示す同期検波回路の構成の一例を示すブロック構成図である。
【図６】従来のフィードフォワード歪み補償増幅装置を示すブロック構成図である。
【図７】本発明によるフィードフォワード歪み補償増幅装置の実施の形態の他の例を示すブロック構成図である。
【図８】本発明によるフィードフォワード歪み補償増幅装置の実施の形態の他の例を示すブロック構成図である。
【図９】本発明によるフィードフォワード歪み補償増幅装置の実施の形態の他の例を示すブロック構成図である。
【図１０】本発明によるフィードフォワード歪み補償増幅装置の実施の形態の他の例を示すブロック構成図である。
【符号の説明】
１００、２００、３００、４００、６００、７００、８００、９００、１０００      フィードフォワード歪み補償増幅装置
１０２、６０２      主増幅器
１０６、６０６      第１の方向性結合器（ＣＤＣ１）
１０８、６０８      第２の方向性結合器（ＣＤＣ２）
１１０、６１０      第１の遅延回路（ＤＬ１）
１１２、６１２      第２の遅延回路（ＤＬ２）
１１４、６１４      第３の方向性結合器（ＣＤＣ３）
１１６、６１６      第４の方向性結合器（ＣＤＣ４）
１１８、６１８      副増幅器
１１９              第７の方向性結合器（ＣＤＣ７）
１２０、６２０      第５の方向性結合器（ＣＤＣ５）
１２２、６２２      第６の方向性結合器（ＣＤＣ６）
１２６、６２６      同期検波回路（ＩＱ  Ｄｅｔｅｃｔｏｒ）
１２８、３２８、６２８      第１の信号処理回路（信号処理１）
１３０、６３０      電力検出回路（電力検出）
１３２、２０６、６３２      第２の信号処理回路（信号処理２）
２０２              第８の方向性結合器（ＣＤＣ８）
２０４              第２の同期検波回路（同期検波回路２：ＩＱ  Ｄｅｔｅｃｔｏｒ）
３０２              第９の方向性結合器（ＣＤＣ９）
３０４              第３の遅延回路（ＤＬ３）
３０６              第３増幅器
３０８              第１０の方向性結合器（ＣＤＣ１０）
３１０              第２の電力検出回路（電力検出２）
３１２              第３の信号処理回路（信号処理３）
３２６              第１の同期検波回路（同期検波回路１：ＩＱ  Ｄｅｔｅｃｔｏｒ）
５０２              リミッタ増幅器（リミッタＡＭＰ）
５０４              ９０度位相器
５０６              第１の乗算器（乗算器１）
５０８              第２の乗算器（乗算器２）
６０４              パイロット信号発振器（パイロットＯＳＣ）
６２４              バンドパスフィルター（ＢＰＦ）
【図１】
2004165783.tif 000003
【図２】
2004165783.tif 000004
【図３】
2004165783.tif 000005
【図４】
2004165783.tif 000006
【図５】
2004165783.tif 000007
【図６】
2004165783.tif 000008
【図７】
2004165783.tif 000009
【図８】
2004165783.tif 000010
【図９】
2004165783.tif 000011
【図１０】
2004165783.tif 000012